【手続補正書】
【提出日】平成20年2月18日(2008.2.18)
【手続補正１】
【補正対象書類名】明細書
【補正対象項目名】特許請求の範囲
【補正方法】変更
【補正の内容】
【特許請求の範囲】
【請求項１】
粘性物品が物品容器から分配される分配装置であって、駆動手段、該駆動手段により動作される分配方向及び戻り方向に往復動するプランジャー、該容器から押し出すことにより容器から物品を放出させるために該プランジャーと係合する位置である分配位置に該容器を支持するための支持部材で構成され、該駆動手段は、該プランジャーを分配方向に実質的に一定速度で動かすことができるリニアアクチュエータで構成され、さらに、該分配装置には前記動きの検知のため及び前記動きに対応した該駆動手段の動作の制御のために配置される制御手段も含まれることを特徴とする分配装置。
【請求項２】
前記リニアアクチュエータが電気モータ及び継手で構成され、該モータの回転運動を前記プランジャーの直線運動に変換するように配置される請求項１に記載の分配装置。
【請求項３】
前記制御手段が前記プランジャーの動抵抗の測定値である前記電気モータで使用される電力を検知する検知手段を含む請求項２に記載の分配装置。
【請求項４】
前記制御手段が分配の間に前記プランジャーの動く速度を検知し、前記動く速度に対応する信号を供給し、それにより前記分配装置の動作状態の指示を提供する請求項１、２又は３に記載の分配装置。
【請求項５】
前記制御手段が単位時間当たりの前記プランジャーの動きの測定値に対応する信号を供給し、その動きを所定の動く速度と比較して、前記分配装置の動作状態を指示し、該信号は前記プランジャーの動作を中断するために利用可能である請求項４に記載の分配装置。
【請求項６】
前記分配装置が前記プランジャーの動抵抗が一つ又は複数の所定の値を超過したことが検知されるように配置され、それに対応して前記制御手段が前記駆動手段の動作を中断又は変化させるようになされた請求項１〜５のいずれか１項に記載の分配装置。
【請求項７】
前記検出手段が、前記プランジャーの動抵抗が小さ過ぎる状態を検知しまた該プランジャーの動作の中断若しくは変更に使用される信号を提供するか、或いはオペレータへ指示を提供する請求項１〜６のいずれか１項に記載の分配装置。
【請求項８】
前記駆動手段が前記プランジャーの各動作の信号を提供し、該信号が前記分配装置により又は遠隔的に収集され、記憶される請求項１〜７のいずれか１項に記載の分配装置。
【請求項９】
前記制御手段が前記プランジャーの動抵抗が一定の値を超過したことを検知すると、該プランジャーの動きを反転させて元の位置に戻させる請求項１〜８のいずれか１項に記載の分配装置。
【請求項１０】
前記プランジャーの位置が検知され、該プランジャーが物品の放出が開始されるべき所定の位置に到達していない場合、信号が発生されて故障、例えば分配される予定の容器に加えて空の容器が存在する場合、が指示され、また該プランジャーの動きが中断される請求項１〜９のいずれか１項に記載の分配装置。
【請求項１１】
粘性物品が物品容器から分配される分配装置であって、駆動手段、該駆動手段により動作される分配及び戻り方向に往復動するプランジャー、該容器からの押し出しによる該容器からの物品の放出のために該プランジャーと係合する位置に該容器の支持を可能にする該容器のための支持部材で構成され、該駆動手段は、該プランジャーが前記支持部材とが揃う分配位置と該分配位置から引き込まれる際に該分配位置から離れた該支持部材の一方の側に該プランジャーが引き込まれる戻り位置との間で動くことができることを特徴とする分配装置。
【請求項１２】
粘性物品が物品容器から分配される分配装置であって、駆動手段、該駆動手段により動作される分配及び戻り方向に往復動するプランジャー、該容器からの押し出しによる該容器からの物品の放出のために該プランジャーと係合する位置に該容器の支持を可能にする該容器のための支持部材で構成され、さらに、該プランジャーによる該容器からの物品の放出後、前記容器取り出し位置と放出位置の間で動くことが可能な往復部材で構成され、該放出位置が該支持部材の一方の側に変位されていることを特徴とする分配装置。
【請求項１３】
前記容器は、物品を包含するように配置され、出口開口を有し、前記プランジャーに係合された変形可能な部分により該容器の内部体積を減じ、該開口より該容器内の物品が押し出される請求項１〜１２のいずれか１項に記載の分配装置。
【請求項１４】
粘性物品が物品容器から分配される分配装置であって、
駆動手段、前記駆動手段により動作される分配方向及び戻り方向に往復動するプランジャー、前記容器から押し出すことにより容器から物品を放出させるために前記プランジャーと係合する位置である分配位置に前記容器を支持する支持部材を備え、
さらに、前記プランジャーが分配方向に移動するように動作したときに、所定の軸負荷に応じて圧縮されるように設定されたばね手段を備え、
前記ばね手段は、前記容器から分配される物品が硬過ぎる場合にそれを検知するように設定されている分配装置。
【請求項１５】
粘性物品が物品容器から分配される分配装置であって、
駆動手段、前記駆動手段により動作される分配方向及び戻り方向に往復動するプランジャー、前記容器から押し出すことにより容器から物品を放出させるために前記プランジャーと係合する位置である分配位置に前記容器を支持する支持部材を備え、
さらに、前記プランジャーが分配方向に移動するように動作したときに、前記容器から分配される物品が硬過ぎる場合にそれを検知するように設定されている制御手段を備え、
前記制御手段は、物品が硬過ぎると検出したときにプランジャーをその初期位置に戻すよう命令するように設定されていること、
を特徴とする分配装置。
【請求項１６】
粘性物品が物品容器から分配される分配装置であって、
駆動手段、前記駆動手段により動作される分配方向及び戻り方向に往復動するプランジャー、前記容器から押し出すことにより容器から物品を放出させるために前記プランジャーと係合する位置である分配位置に前記容器を支持する支持部材を備え、
さらに、前記分配方向及び戻り方向の前記プランジャーの移動速度を制御する制御手段を備え、
前記プランジャーは、戻り位置から放出位置へ第１の速度で移動し、放出中に前記第１の速度よりも遅い速度で移動し、前記放出中の速度よりも速い速度でその戻り位置へ移動するように設定されること、
を特徴とする分配装置。
【請求項１７】
粘性物品が物品容器から分配される分配装置であって、
駆動部と、
前記駆動部により駆動され、分配方向と戻り方向に往復動可能なプランジャーと、
前記容器から押し出すことにより容器から物品を放出させるために前記プランジャーと係合する位置である分配位置に前記容器を支持する支持部材と、
を備え、
さらに、前記プランジャーが分配方向に移動するように動作したときに、所定の軸負荷に応じて圧縮されるように前記プランジャー上で動作するばねを備え、
前記ばねは、前記容器から分配される物品が硬過ぎる場合にそれを検知するために役立つこと、
を特徴とする分配装置。
【請求項１８】
粘性物品が物品容器から分配される分配装置であって、
駆動手段、前記駆動手段により動作される分配方向及び戻り方向に往復動するプランジャー、前記容器から押し出すことにより容器から物品を放出させるために前記プランジャーと係合する位置である分配位置に前記容器を支持する支持部材を備え、
前記プランジャーの放出軸は、垂直から傾いていること、
を特徴とする分配装置。